(57)【要約】【課題】観察角度の変化により出現する潜像画像が付与された、多層構成の偽造防止形成体を、デジタル印刷機を用いて簡易に作成する方法を提供する。【解決手段】画像データ取得ステップにより、各画像の原画像である画像データを作成し、基本線データ取得ステップにより、各画像を構成する画線の基準となる万線状の画線に対して画像ごとに位置座標、ピッチ及び配列方向を設定して基本線データを作成し、マスク処理ステップにより、各画像データと各画像データに対応した基本線データをもとにマスク画像データを作成した後、各画像を構成する画線の画線幅、画線高さ及び色をそれぞれ設定して各画線データを作成し、積層出力ステップにおいて印刷部から基材に各画線データを基に万線状の画線を印刷すること特徴とする偽造防止形成体の作成方法。【選択図】図４
2014137417.tif 000002
【特許請求の範囲】
【請求項１】
基材上に、万線状の画線から成る第一の画像と、盛り上がりを有する万線状の画線から成る第一の背景画像及び第二の画像を積層して配置したことで、前記基材に対する観察角度の変化により、前記盛り上がりを有する画線の死角を利用して前記第一の画像と前記第二の画像が変化して視認される偽造防止形成体を、少なくとも入力部、編集部及び印刷部を有するデジタル印刷機により作成する方法であって、
前記第一の画像の原画像である第一の画像データと、前記第一の背景画像の画像データである第一の背景画像データと、前記第二の画像の原画像である第二の画像データを前記入力部又は前記編集部で作成する、画像データ取得ステップと、
前記第一の画像、前記第一の背景画像及び前記第二の画像を構成する画線の基準となる万線状の画線に対して、前記画像ごとに、位置座標、ピッチ及び配列方向を設定し、基本線データを前記入力部又は前記編集部で作成する、基本線データ取得ステップと、
前記編集部で、前記各画像データと前記各画像データに対応した前記基本線データを重ねて、前記各画像データと重複しない前記基本線画像データを除去してマスク画像データを作成する、マスク処理ステップと、
前記第一の画像、前記第一の背景画像及び前記第二の画像を構成する第一の画線、第二の画線及び第三の画線の画線幅及び画線高さを前記編集部で設定する、形状設定ステップと、  
前記第一の画線、前記第二の画線及び前記第三の画線の色を前記編集部で設定する、色設定ステップと、
前記形状設定ステップ及び前記色設定ステップで設定した条件をもとに、前記各マスク画像データから第一の画線データ、第二の画線データ及び第三の画線データを前記編集部で作成する、画線データ作成ステップと、
前記印刷部で、前記基材に前記第一の画線データを基に万線状の第一の画線を印刷し、前記第二の画線データを基に前記第一の画線と重ならない位置に万線状の第二の画線を印刷し、前記第二の画線の上に、前記第三の画線データを基に万線状の第三の画線を印刷する、積層出力ステップとを備えることを特徴とする偽造防止形成体の作成方法。
【請求項２】
前記第一の背景画像を、Ｎ個（Ｎは二以上の整数）の背景画像が積層されたＮ層構成とした前記偽造防止形成体の作成方法であって、
前記画像データ取得ステップにおいて、更に、Ｎ個の前記背景画像の原画像である、Ｎ個の背景画像データを取得又は作成し、
前記形状設定ステップにおいて、更に、Ｎ個の前記背景画像データから、Ｎ個の前記背景画像を構成する画線の画線幅及び画線高さをそれぞれ設定し、
前記色設定ステップにおいて、更に、Ｎ個の前記背景画像を構成する画線の色をそれぞれ設定し、
前記画線データ作成ステップにおいて、更に、前記形状設定ステップ及び前記色設定ステップで設定した条件をもとに、Ｎ個の前記背景画像ごとにＮ個の画線データを作成し、
前記積層出力ステップにおいて、前記印刷部により前記第三の画線データを印刷して万線状の前記第三の画線を形成する前に、Ｎ個の前記背景画像ごとに作成したＮ個の前記画線データを、前記基材上における万線状の前記第一の画線と重ならない位置に順次印刷して、万線状の画線が積層したＮ層構成の背景画像を形成することを特徴とする請求項１記載の偽造防止形成体の作成方法。
【請求項３】
複数の前記偽造防止形成体を作成する場合、
前記画像データ取得ステップにおいて作成する複数の前記第一の画像データを、互いに異なる画像とし、複数の前記第一の背景画像データを、互いに異なる画像とし、複数の前記第二の画像データを、互いに異なる画像として前記入力部又は前記編集部で作成し、
前記積層出力ステップにおいて、前記画線データ取得ステップにおいて作成した複数の画像データの中から所望の画像データを選び、前記印刷部から、所望の画像データをもとに異なる画像を複数印刷することを特徴とする請求項１又は２記載の偽造防止形成体の作成方法。
【請求項４】
前記色設定ステップにおいて、少なくとも一つの色材に、一つの機能性材料を含ませ、二つ以上の色材に機能性材料を含ませる場合、互いに異なる機能性材料を含ませることを特徴とする請求項１乃至３のいずれか一項記載の偽造防止形成体の作成方法。
【発明の詳細な説明】
【技術分野】
【０００１】
本発明は、観察角度の変化により潜像画像が出現する偽造防止形成体を、デジタル印刷機を用いて作成する方法に関するものである。
【背景技術】
【０００２】
銀行券、有価証券等の貴重印刷物は、その性質上偽造や複製がされたか否かを、目視で簡易に判別するために、エンボス及びすき入れ等の基材変形や、凹版印刷及びスクリーン印刷等の盛りのある印刷画線用いて、観察角度の変化により潜像画像が出現する偽造防止技術が多く付与されている。
【０００３】
観察角度の変化により潜像画像が出現する技術としては、基材上に形成した万線状の凹凸レリーフ画線の上に、万線状の印刷画線を印刷することで、観察角度の変化により潜像画像が出現するものや、潜像凹版と呼ばれる、潜像画像とその周囲を、万線状の盛り上がりを有する凹版画線を異なる方向で配列することで、観察角度の変化により、潜像画像とその周囲で濃度差が生じて潜像画像が出現するものがある。
【０００４】
いずれの技術においても、基材自体又は基材上に凹凸形状を形成することにより、観察方向により死角を形成することが必要となる。そのため、形成方法としては、一般的な商業印刷ではなく、すき入れ又は凹版印刷等となっている。
【０００５】
しかしながら、すき入れや凹版印刷は、版面及び大型の印刷機を用いることから、非常にコストがかかる。また、すき入れや版面を用いる作成方法では、付与する画像が固定情報であり、潜像画像を可変情報として付与することは不可能である。よって、観察角度の変化により出現する潜像画像を、可変情報として付与することを可能とする作成方法が求められている。
【０００６】
この課題を解決するものとして、特許文献１には、インクジェット・プリンタを用いた製造方法が開示されている。用紙にあらかじめ凸画線を形成した後、凸画線の一方又は他方の斜面に付与する直線群から成る画像データをそれぞれ作成する。次に、作成した二つの画像データを合成した後、合成データをもとにインクジェット・プリンタで凸画線上に印刷画線を付与することで、観察画像の変化により潜像画像が出現する印刷物を作成する。
【０００７】
また、特許文献２には、プリンタを用いた潜像凹版の作成方法が開示されている。用紙に、潜像画像と、その周囲を成す万線状の印刷画線をそれぞれ印刷した後、潜像画像を成す万線状の印刷画線に対して、観察角度の変化により潜像画像が視認可能となる画線高さまで色材を付着することで、プリンタにより潜像凹版と同様の印刷物を作成する。
【先行技術文献】
【特許文献】
【０００８】
【特許文献１】特許第４９１０２４４号
【特許文献２】特開２０１１−４３８２２号
【発明の概要】
【発明が解決しようとする課題】
【０００９】
特許文献１により、潜像画像を可変情報とした印刷物をオンデマンド印刷で作成することが可能となった。オンデマンド印刷とは、ユーザが所望のデータを、ドキュメント・データ（書類データ）から製版工程を介さずに直接印刷する印刷方法のことであり、オンデマンド印刷を行う印刷機としては、特許文献１に記載のインクジェット・プリンタをはじめ、レーザー・プリンタ等の無版のデジタル印刷機がある。
【００１０】
しかしながら、特許文献１においては、あらかじめエンボス加工により、凸画線を用紙に付与しておく必要がある。よって、凸画線の形状に併せて、潜像画像の種類及び形状等を設計する必要があり、ユーザが自由に潜像画像の種類及び形状等を可変情報として作成することは不可能である。また、一般的なデジタル印刷機は、凹凸を有する用紙を出力する際に、排紙不要やインクの定着不良が発生する。よって、凹凸を損傷することのない、特殊な出力機を用いる必要がある。
【００１１】
また、特許文献２により、潜像凹版と同様の印刷物をデジタル印刷機により作成可能となった。しかしながら、近年、特許文献２をはじめ、デジタル印刷機により凹版印刷と同様の印刷物を作成することが可能となり、従来の潜像凹版のように、盛り上がりを有する単層から成る印刷物では模倣される可能性があり、複数層から成る、より複雑な構成の印刷物が求められている。さらには、一次認証に加え、複数の異なる環境下又は機械読取である二次認証においても、ユーザが自由に可変情報として付与することが可能な貴重印刷物の作成方法が求められている。
【００１２】
そこで、本発明の目的は、観察角度の変化により出現する潜像画像が付与された、多層構成の偽造防止印刷物を、デジタル印刷機を用いて簡易に作成する方法を提供することにある。
【００１３】
さらには、潜像画像を可変情報としたり、一次認証に加えて、ユーザが自由に二次認証をデジタル印刷機で可変情報として付与したりすることが可能な印刷物の作成方法を提供することにある。
【課題を解決するための手段】
【００１４】
前述の目的を達成するために、請求項１記載の発明は、基材上に、万線状の画線から成る第一の画像と、盛り上がりを有する万線上の画線から成る第一の背景画像及び第二の画像を積層して配置したことで、基材に対する観察角度の変化により、盛り上がりを有する画線の死角を利用して第一の画像と第二の画像が変化して視認される偽造防止形成体を、少なくとも入力部、編集部及び印刷部を有するデジタル印刷機により作成する方法であって、第一の画像の原画像である第一の画像データと、第一の背景画像の画像データである第一の背景画像データと、第二の画像の原画像である第二の画像データを入力部又は編集部で作成する画像データ取得ステップと、第一の画像、第一の背景画像及び第二の画像を構成する画線の基準となる万線状の画線に対して、画像ごとに位置座標、ピッチ及び配列方向を設定し、基本線データを入力部又は編集部で作成する基本線データ取得ステップと、編集部で各画像データと各画像データに対応した基本線データを重ねて、各画像データと重複しない基本線画像データを除去してマスク画像データを作成するマスク処理ステップと、第一の画像、第一の背景画像及び第二の画像を構成する第一の画線、第二の画線及び第三の画線の画線幅及び画線高さを編集部で設定する形状設定ステップと、第一の画線、第二の画線及び第三の画線の色を編集部で設定する色設定ステップと、形状設定ステップ及び色設定ステップで設定した条件をもとに、各マスク画像データから第一の画線データ、第二の画線データ及び第三の画線データを編集部で作成する画線データ作成ステップと、印刷部で基材に第一の画線データを基に万線状の第一の画線を印刷し、第二の画線データを基に第一の画線と重ならない位置に万線状の第二の画線を印刷し、第二の画線の上に、第三の画線データを基に万線状の第三の画線を印刷する積層出力ステップとを備えることを特徴とする偽造防止形成体の作成方法である。
【００１５】
また、請求項２記載の発明は、請求項１記載の偽造防止形成体の作成方法において、第一の背景画像を、Ｎ個（Ｎは二以上の整数）の背景画像が積層されたＮ層構成とした偽造防止形成体の作成方法であって、画像データ取得ステップにおいて、更にＮ個の背景画像の原画像である、Ｎ個の背景画像データを取得又は作成し、形状設定ステップにおいて、更にＮ個の背景画像データからＮ個の背景画像を構成する画線の画線幅及び画線高さをそれぞれ設定し、色設定ステップにおいて、更にＮ個の背景画像を構成する画線の色をそれぞれ設定し、画線データ作成ステップにおいて、更に形状設定ステップ及び色設定ステップで設定した条件をもとに、Ｎ個の背景画像ごとにＮ個の画線データを作成し、積層出力ステップにおいて、印刷部により第三の画線データを印刷して万線状の第三の画線を形成する前にＮ個の背景画像ごとに作成したＮ個の画線データを、基材上における万線状の第一の画線と重ならない位置に順次印刷して、万線状の画線が積層したＮ層構成の背景画像を形成することを特徴とする。
【００１６】
また、請求項３記載の発明は、請求項１又は２記載の偽造防止形成体の作成方法において、複数の偽造防止形成体を作成する場合、画像データ取得ステップにおいて作成する複数の第一の画像データを、互いに異なる画像とし、複数の第一の背景画像データを、互いに異なる画像とし、複数の第二の画像データを、互いに異なる画像として入力部又は編集部で作成し、積層出力ステップにおいて、画像データ取得ステップにおいて作成した複数の画像データの中から所望の画像データを選び、印刷部から、所望の画像データをもとに異なる画像を複数印刷することを特徴とする。
【００１７】
さらに、請求項４記載の発明は、請求項１乃至３のいずれか一項記載の偽造防止形成体の作成方法における色設定ステップにおいて、少なくとも一つの色材に、一つの機能性材料を含ませ、二つ以上の色材に機能性材料を含ませる場合、互いに異なる機能性材料を含ませることを特徴とする。
【発明の効果】
【００１８】
本発明の偽造防止形成体の作成方法は、フラットな基材に対して盛り上がりを有する画線を複数積層することで印刷物を作成することができることから、観察角度の変化により潜像画像が出現する偽造防止形成体を、デジタル印刷機により作成することが可能となる。
【００１９】
また、基材に、あらかじめ凹凸をエンボス及びすき入れ等で付与する必要がないことから、画像のデザイン、形状及び色等の全ての情報を、ユーザが自由に可変情報として作成することが可能となる。
【００２０】
さらに、ユーザが一次認証に加え、二次認証を付与する場合には、積層するインキに機能性材料を含ませることで、簡易に所望の機能性を付与することが可能となる。よって、一次認証に加え、二次認証においても、ユーザの所望の機能性を自由に可変情報として付与した印刷物を作成することが可能となる。
【図面の簡単な説明】
【００２１】
【図１】偽造防止形成体（Ｓ）を示す平面図及び潜像画像の拡大図。
【図２】各画像（Ａ、Ｂ、Ｃ）の積層状態を示す模式図。
【図３】デジタル印刷機（Ｍ）を示すブロック図。
【図４】偽造防止形成体（Ｓ）の作成方法を示すフローチャート
【図５】各基本線データ（Ｌ１、Ｌ２、Ｌ３）を説明する模式図。
【図６】マスク処理ステップを説明する模式図。
【図７】各画線を説明する模式図。
【図８】各画線データ（ｉ３、ｉ４及びｉ６）を説明する模式図。
【図９】偽造防止形成体（Ｓ）を第一の観察角度（Ｅ１）から観察した際の模式図。
【図１０】偽造防止形成体（Ｓ）を第二の観察角度（Ｅ２）から観察した際の模式図
【図１１】Ｎ層構成の背景画像を説明する模式図。
【図１２】偽造防止形成体（Ｓ´）を説明する模式図。
【発明を実施するための形態】
【００２２】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００２３】
図１は、本発明の作成方法により得られた偽造防止形成体（以下「形成体」という。）（Ｓ）を示す平面図である。形成体（Ｓ）は、例えば、紙幣及び身分証明書等の貴重印刷物であり、盛り上がりを有する万線状の画線から成る画像を積層して配置したことで、観察角度の変化により第一の画像（Ａ）と潜像画像（Ｃ）に変化して視認される。
【００２４】
図２は、形成体（Ｓ）の積層構成を示す模式図である。形成体（Ｓ）は、基材（１）上に、万線状の画線（３）から成る第一の画像（Ａ）と、盛り上がりを有する万線状の画線（４）から成る第一の背景画像（Ｂ）と、盛り上がりを有する万線状の画線（６）から成る第二の画像（Ｃ）を積層して配置したことで、基材（１）に対する観察角度の変化により、第一の画像（Ａ）を構成する画線（３）が、第一の背景画像（Ｂ）を構成する盛り上がりを有する画線（４）の影となることで、基材（１）に対して正面と、斜め方向から観察した際に、第一の画像（Ａ）と第二の画像が変化して視認される。
【００２５】
次に、形成体（Ｓ）の作成装置（Ｍ）の構成について、図３を用いて説明する。デジタル印刷機（Ｍ）は、入力部（Ｕ１）、編集部（Ｕ２）、記憶部（Ｕ３）、印刷部（Ｕ４）、通信インタフェース（Ｕ５）及び表示部（Ｕ６）を備えている。
【００２６】
入力部（Ｕ１）は、形成体（Ｓ）の作成に必要なデータを取得し、編集部（Ｕ２）に与える手段である。
【００２７】
編集部（Ｕ２）は、与えられたデータを記憶部（Ｕ３）に格納するとともに、形成体（Ｓ）の作成に必要な演算処理及び画像処理等の全てを行い、得られた結果を印刷部（Ｕ５）に与える。
【００２８】
記憶部（Ｕ３）は、形成体（Ｓ）の作成に必要なデータと、編集部（Ｕ２）の演算に必要な各種データ及びその演算結果を記憶する手段である。
【００２９】
印刷部（Ｕ４）は、編集部（Ｕ２）から与えられたデータを印刷して形成体（Ｓ）を得る手段である。印刷部（Ｕ４）には、盛り上がりを有する画線を印刷することが可能な、レーザー・プリンタ及びインクジェット・プリンタ等の無版のデジタル印刷方式を用いる。印刷版面を用いないことで、版面作成工程がなくなるだけではなく、詳細については後述するが、複数の形成体（Ｓ）を作成する際に、形成体（Ｓ）ごとに形成する画像を異なる画像とする可変印刷を行うことが可能となる。
【００３０】
従来、観察角度の変化により潜像画像が出現する印刷物を作成する際には、あらかじめ、基材（１）に凹凸を付与することで作成することが主流であった。そのため、基材（１）の凹凸を損傷することなく印刷することが可能な印刷部を用いることを必須としていた。一方、本発明の作成方法により得られる形成体（Ｓ）は、凹凸をインキの盛りにより形成している。よって、盛り上がりを有する画線を印刷することが可能であれば、印刷部（Ｕ４）を公知の印刷方式に置き換えた印刷部（Ｕ４）とすることができる。
【００３１】
通信インタフェース（Ｕ５）は、図示されていないコンピュータ端末と編集部（Ｕ２）とを接続し、必要に応じてコンピュータ端末と編集部（Ｕ２）との間で情報の転送を行う。例えば、通信インタフェース（Ｕ５）により、あらかじめ登録された外部のデータベースサーバから、画像及びテキスト等の形成体（Ｓ）の作成に必要な各種データを得ることが可能である。
【００３２】
表示部（Ｕ６）は、入力されたデータ及び演算結果等、形成体（Ｓ）の作成に必要なデータ、入力条件及びコマンド等の作成者に必要な情報を表示する手段であり、例えば、ＣＲＴ又は液晶ディスプレイ等を少なくとも一つ有する。
【００３３】
図３の作成装置（Ｍ）を用いて、本実施の形態による形成体（Ｓ）を作成する方法について、その手順を示した図４のフローチャートを用いて説明する。
【００３４】
まず、画像データ取得ステップｆ１として、第一の画像（Ａ）の原画像である第一の画像データと、第一の背景画像（Ｂ）の原画像である第一の背景画像データと、第二の画像（Ｃ）の原画像である第二の画像データを、それぞれ作成する。
【００３５】
なお、本実施の形態において、データは、いずれも記憶部（Ｕ３）内に格納されているものであるが、詳細に説明するために、以下模式的に図面に記載する。
【００３６】
まず、ｆ１−１として、第一の画像（Ａ）の画像データを取得するために、第一の画像（Ａ）の原画像である第一の画像データを編集部（Ｕ２）が作成するか、又はあらかじめ作成及び／又は取得した第一の画像データを入力部（Ｕ１）より取得し、編集部（Ｕ２）を介して記憶部（Ｕ３）に格納する。なお、本実施形態においては、入力部（Ｕ１）で取得する場合と、編集部（Ｕ２）で作成する場合を併せて説明する際には、入力部（Ｕ１）及び編集部（Ｕ２）により作成するとして説明する。
【００３７】
第一の画像（Ａ）は、基材（１）に対して正面から観察した際に視認可能となる図柄のことである。図２（ａ）においては、三つのダイヤの図形としているが、それに限らず、文字、数字及び模様等とすることが可能である。
【００３８】
入力部（Ｕ１）により取得した原画像が、ビットマップによる２値画像データ又はアウトライン図形データ（以下「デジタルデータ」という。）でない場合には、デジタルデータへ変換する必要があるため、編集部（Ｕ２）においては、原画像をデジタルデータへ変換するデータ変換手段を更に有することが必要となる。
【００３９】
よって、入力部（Ｕ１）は、第一の画像（Ａ）の原画像である第一の画像データを取得する入力部（Ｕ１）と、取得した原画像をデジタルデータに変換するデータ変換手段を一つの機器内に備えたスキャナ等の読取機器、デジタルカメラ、ビデオカメラ及び携帯端末等の撮像機器であることが好ましい。データ変換手段を備えた入力部（Ｕ１）とすることで、画像の取得とデジタルデータへの変換を一度に行うことが可能となる。
【００４０】
また、あらかじめ作成及び／又は取得した画像データを第一の画像データとして用いる場合、入力部（Ｕ１）は、あらかじめ作成及び／又は取得した原画像を、既にデジタルデータとして記録してあるＣＤ−ＲＯＭ、ＦＤ及びＵＳＢメモリ等の情報記録媒体からデジタルデータを取得するＭＯドライブ、ＣＤ−ＲＯＭドライブ、ＦＤドライブ及びイメージカードリーダ等の入出力機器としても良い。
【００４１】
この場合の原画像は、既にデジタルデータ化されているため、編集部（Ｕ２）を介す必要はない。よって、入力部（Ｕ１）により取得した後、編集部（Ｕ２）を介すことなく、記憶部（Ｕ３）に格納する。いずれの作成及び／又は取得方法においても、記憶部（Ｕ３）に格納した第一の画像データは、複数の画素から成る。
【００４２】
画素とは、格子状に配列して画像を形成する点のことであり、色に関する情報を数値として持つものである。画素により画像を形成する画像形式は、ＴＩＦＦ形式又はＢＭＰ形式等、画素により画像を形成可能であれば画像形成に制限はない。データ上において、画像データは複数の画素から構成されているが、出力物上においては複数の画線から構成される。
【００４３】
次に、ｆ１−２として、第一の背景画像（Ｂ）の画像データを取得するために、第一の背景画像（Ｂ）の原画像である第一の背景画像データを編集部（Ｕ２）により作成するか、又は外部から通信インタフェース（Ｕ５）を介し、第一の背景画像データとして入力部（Ｕ１）より取得し、編集部（Ｕ２）を介して記憶部（Ｕ３）に格納する。格納した第一の背景画像データは、複数の画素から成る。
【００４４】
第一の背景画像（Ｂ）は、第一の画像（Ａ）上に重ねて形成する画像である。図１に示すように、正面から観察した際には、後述する第二の画像（Ｃ）を構成する画線は、第一の背景画像（Ｂ）により隠蔽され、基材（２）を傾けて観察した際には、前述した第一の画線（３）が、第一の背景画像（Ｂ）の死角となることで、視認可能となる画像が変化する。
【００４５】
よって、第一の背景画像（Ｂ）は、同一領域に配置した第一の画像（Ａ）及び後述する第二の画像（Ｃ）を隠蔽するために、第一の画像データ及び第二の画像データよりも大きい画像データとする。
【００４６】
大きい画像データとは、例えば、第一の画像データの大きさ（縦×横）を５００ピクセル×１４００ピクセルとし、第二の画像データの大きさを６００ピクセル×１３００ピクセルの場合、第一の背景画像データの大きさは、縦横いずれも第一の画像データ及び第二の画像データのピクセル数よりも大きく設定することである。前述の数値とした場合には、第一の背景画像データの大きさは、縦を６００ピクセルよりも大きく設定し、横を１４００ピクセルよりも大きく設定する。
【００４７】
なお、第一の背景画像（Ｂ）は、図２（ａ）においては、長方形の図形としているが、
第一の画像データ及び第二の画像データよりも大きい画像データであればそれに限らず文字、数字及び模様等とすることが可能である。
【００４８】
次に、ｆ１−３として、第二の画像（Ｃ）の画像データを取得するために、第二の画像（Ｃ）の原画像である第二の画像データを編集部（Ｕ２）により作成するか、又は外部から通信インタフェース（Ｕ５）を介し、第二の画像データとして入力部（Ｕ１）より取得し、編集部（Ｕ２）を介して記憶部（Ｕ３）に格納する。格納した第二の画像データは、複数の画素から成る。
【００４９】
第二の画像（Ａ）は、基材（１）に対して正面から観察した際に視認可能となる図柄のことである。図２（ａ）においては、三つのダイヤの図形としているが、それに限らず文字、数字及び模様等とすることが可能である。
【００５０】
次に、基本線データ取得ステップｆ２として、第一の画像（Ａ）、第一の背景画像（Ｂ）及び第二の画像（Ｃ）を構成する画線の基準となる万線状の画線に対して、画像ごとに位置座標、ピッチ及び配列方向を設定し、基本線データを入力部（Ｕ１）又は編集部（Ｕ２）で作成する。作成した基本線データは、記憶部（Ｕ３）に格納する。
【００５１】
まず、ｆ２−１として、第一の画像（Ａ）を構成する画線の基準となる万線状の画線に対して、位置座標、ピッチ及び配列方向を設定する。
【００５２】
第一の画像（Ａ）を構成する画線のピッチ（Ｄ１）は、基材（１）上への出力方法及び第一の画線（３）の画線幅（Ｗ１）を考慮し、第一の画線（３）の画線幅（Ｗ１）と、後述する第二の画線（４）の画線幅とを足した画線幅以上１０００μｍ以下の範囲内で適宜設定する。
【００５３】
形成体（Ｓ）は、観察角度の変化により、第一の画線（３）が他の画線の陰となることで、視認可能となる画像が変化する。よって、ピッチ（Ｄ１）を、第一の画線（３）の画線幅（Ｗ１）と第二の画線（４）の画線幅とを足した画線幅未満で設定した場合、観察角度の変化により視認可能となる画像を明瞭に視認することができず、好ましくない。
【００５４】
反対に、ピッチ（Ｄ１）を、１０００μｍを超えて設定した場合、第一の画像（Ａ）を構成する複数の第一の画線（３）が一つずつ目視により区別して視認される。よって、正面から視認される第一の画像（Ａ）のディテール（細部）を構成することができず、意匠性が低下することから、好ましくない。
【００５５】
なお、ピッチ（Ｄ１）は、一定ピッチに限らず、前述したピッチの範囲内であれば、一部異なるピッチで設定することも可能である。
【００５６】
第一の画線（３）の配列方向は、万線状の画線が並行となるように、任意の方向に設定する。
【００５７】
図５は、基本線データを示す模式図であり、第一の基本線データ（Ｌ１）は、第一の画像（Ａ）の基本線データである。図示しない第一の画線（Ａ）を構成する画線の基準となる万線状の画線に対して、位置座標を設定する前に、まず、後述する第二の基本線データ（Ｌ２）及び第三の基本線データ（Ｌ３）と共通する位置の少なくとも三点を、各基本線データにおけるそれぞれの基準点として設定する。図５においては、各基本線データ（Ｌ１、Ｌ２及びＬ３）の四隅のうち、三点（Ｐ１、Ｐ２及びＰ３）を基準点として設定する。
【００５８】
基準点を設定する際には、まず、各画像データから、任意の画像データを一つ選ぶ。図５においては、第一の基本線データ（Ｌ１）を選び、次に、基準点である任意の三点を選ぶ。なお、各基本線データは、複数の画素から構成されていることから、点とは、一つの画素のことをいう。
【００５９】
第一の基本線データ（Ｌ１）においては、まず、一つ目の基準点（Ｐ１）をゼロ点（０，０）の座標として設定した後、一つ目の基準点（Ｐ１）からＸ方向へ、Ｘ１の距離にある点を二つ目の基準点（Ｐ２）とし、さらに、一つ目の基準点（Ｐ１）からＹ方向へ、Ｙ１の距離にある点を三つ目の基準点（Ｐ３）とした。このように、Ｐ１、Ｐ２及びＰ３を、第一の基本線データ（Ｌ１）における基準点に設定する。次に、第一の基本線データ（Ｌ１）を構成する複数の画素に対して、ゼロ点（０，０）に対する距離を示す、固有の位置情報である位置座標を設定する。
【００６０】
なお、ＴＩＦＦ形式、ＪＰＥＧ形式及びＢＭＰ形式等の一般的な画像形式では、画素が必ず縦横の直交する二つの軸方向に沿って平行に配置されるという特性を持つ。よって、各画像データを構成する全ての画素が、必ず縦横の直交する二つの軸方向に沿って平行に配置されるという特性を持つ場合は、各画像データの縦横方向が自明であり、回転を考慮する必要がないため、基準点は、各基準線データにおいて、それぞれ一点のみで良い。以下、本発明においては、各基準線データが同じ大きさであり、三つの基準点を有した構成として説明する。
【００６１】
次に、ｆ２−２として、第一の背景画像（Ｂ）を構成する画線の基準となる万線状の画線に対して、位置座標、ピッチ及び配列方向を設定する。
【００６２】
第一の背景画像（Ｂ）を構成する画線のピッチ（Ｄ２）は、基材（１）上への出力方法及び第二の画線（４）の画線幅（Ｗ２）を考慮し、第一の画線（３）の画線幅（Ｗ１）と第二の画線（４）の画線幅（Ｗ２）とを足した画線幅以上１０００μｍの範囲内で適宜設定する。
【００６３】
なお、第一の画線（３）と第二の画線（４）を異なるピッチに設定することは可能であるが、同じピッチに設定することが好ましい。同じピッチに設定することで、観察角度の変化により視認される画像が鮮明に視認可能な形成体（Ｓ）を作成することができる。以下、第一の画線（３）と第二の画線（４）のピッチを、同じピッチに設定したとして説明する。
【００６４】
第二の画線（４）の配列方向は、ｆ２−１で設定した第一の画像（Ａ）を構成する画線と同じ方向に設定する。
【００６５】
次に、第一の基本線データ（Ｌ１）で設定した三つの基準点と共通する位置に、図５に示す第二の基本線データ（Ｌ２）の基準点を設定する。第二の基本線データ（Ｌ２）においては、まず、一つ目の基準点（Ｐ１）をゼロ点（０，０）の座標として設定した後、第一の基本線データ（Ｌ１）と同様に、一つ目の基準点（Ｐ１）からＸ方向へ、Ｘ１の距離にある点を二つ目の基準点（Ｐ２）とする。
【００６６】
さらに、一つ目の基準点（Ｐ１）からＹ方向へ、Ｙ１の距離にある点を三つ目の基準点（Ｐ３）とした。各基本線データにおける、三つの基準点間の距離は、同一である。このように、各基本線データにおける共通する位置の任意の三つの点を、それぞれの基準点とする。なお、第二の基本線データ（Ｌ２）を構成する複数の画素においても、ゼロ点（０，０）に対する距離を示す固有の位置情報である位置座標を設定する。
【００６７】
次に、ｆ２−３として、第二の画像（Ｃ）を構成する画線の基準となる万線状の画線に対して、位置座標、ピッチ及び配列方向を設定する。
【００６８】
第二の画像（Ｃ）を構成する画線のピッチ（Ｄ３）は、第二の画線（４）を配置するピッチ（Ｄ２）と同様に、第一の画線（３）の画線幅（Ｗ１）と第二の画線（４）の画線幅（Ｗ２）を足した画線幅〜１０００μｍの範囲内で適宜設定する。以下、第三の画線（６）のピッチ（Ｄ３）は、第一の画線（３）及び第二の画線（４）のピッチと、同じピッチに設定したとして説明する。
【００６９】
第三の画線（６）の配列方向は、ｆ２−１及びｆ２−２で設定した第一の画像（Ａ）及び第一の背景画像（Ｂ）を構成する画線と同じ方向に設定する。
【００７０】
次に、第一の基本線データ（Ｌ１）で設定した三つの基準点と共通する位置に、図５に示す第三の基本線データ（Ｌ３）の基準点を設定する。なお、基準点については、前述した第二の基本線データ（Ｌ２）と同様に設定する。第三の基本線データ（Ｌ３）を構成する複数の画素においても、ゼロ点（０，０）に対する距離を示す固有の位置情報である位置座標を設定する。
【００７１】
次に、マスク処理ステップｆ３として、編集部（Ｕ２）で、各画像データと各画像データに対応した基本線データを重ねて、各画像データと重複しない基本線画像データを除去してマスク画像データを作成する。作成したマスクデータは、記憶部（Ｕ３）に格納する。
【００７２】
図６は、マスク処理ステップを示す模式図である。まず、ｆ３−１として、第一の画像データ（ｉＡ）と、第一の画像データ（ｉＡ）に対応した基本線データである第一の基本線データ（Ｌ１）を重ねる。次に、第一の画像データ（ｉＡ）と重複しない基本線画像データ（Ｌ１）を除去して第一マスク画像データ（ｉ３）を作成する。マスク処理を行うことで、第一の画像データ（ｉＡ）は、複数の画線で構成された画像データである第一マスク画像データ（ｉ３）となる。
【００７３】
次に、ｆ３−２として、第一の背景画像データと、第一の背景画像データに対応した基本線データである第二の基本線データ（Ｌ２）を重ねる。次に、第一の背景画像データと重複しない第二の基本線画像データ（Ｌ２）を除去して第二マスク画像データを作成する。同様に、ｆ３−３として、第二の画像データと、第二の画像データに対応した基本線データである第三の基本線データ（Ｌ３）を重ねた後、第二の画像データと重複しない第三の基本線画像データ（Ｌ３）を除去して第三マスク画像データを作成する。
【００７４】
次に、形状設定ステップｆ４として、編集部（Ｕ２）で、第一の画像（Ａ）、第一の背景画像（Ｂ）及び第二の画像（Ｃ）を構成する第一の画線（３）、第二の画線（４）及び第三の画線（６）の画線幅及び画線高さをそれぞれ編集部（Ｕ２）により設定する。設定した、各画線の画線幅及び画線高さのデータは、記憶部（Ｕ３）に格納する。
【００７５】
まず、ｆ４−１として、第一の画像（Ａ）を構成する第一の画線（３）の画線幅（Ｗ１）及び画線高さ（ｈ１）を設定する。
【００７６】
図７（ａ）は、第一の画線（３）を示す模式図である。なお、図７においては、詳細に説明するために、基材（１）も踏まえて模式的に図示しているが、実際には、デジタルデータとして記憶部（Ｕ３）内に格納されている。
【００７７】
画線幅（Ｗ１）及び画線高さは、ピッチ（Ｄ１）及び他の画線の画線幅を考慮し、画線幅（Ｗ１）２５〜５００μｍ、画線高さ（ｈ１）３０μｍ以下の範囲内で適宜設定する。
【００７８】
第一の画線（３）の画線幅（Ｗ１）を２５μｍ未満で設定した場合、一般的な印刷方式では再現しづらく、また、正面から視認可能となる第一の画像（Ａ）を識別しにくいことから、好ましくない。
【００７９】
反対に、第一の画線（３）の画線幅（Ｗ１）を、５００μｍを超えて設定した場合と、第一の画線（３）の画線高さ（ｈ１）を、３０μｍを超えて設定した場合は、観察角度の変化により視認可能となる画像を形成する画線を、５００μｍ以上の画線高さで基材（１）上に形成しなくてはならず、画線が欠けて形成体（Ｓ）の耐久性が低下することから、好ましくない。
【００８０】
次に、ｆ４−２として、第一の背景画像（Ｂ）を構成する第二の画線（４）の画線幅（Ｗ２）及び画線高さ（ｈ２）を設定する
【００８１】
図７（ｂ）は、第二の画線（４）を示す模式図である。画線幅（Ｗ２）は、ピッチ（Ｄ２）と、第一の画線（３）及び後述する第三の画線（６）の画線幅を考慮し、５０〜９００μｍの範囲内で適宜設定する。
【００８２】
第二の画線（４）の画線幅（Ｗ２）を５０μｍ未満に設定した場合、用いる色材によっては十分、かつ、安定した画線高さ（ｈ２）を基材（１）上に形成しづらいことから、好ましくない。また、画線幅（Ｗ２）が９００μｍを超えて設定した場合、第二の画線（４）と重ならない位置に第一の画線（３）が配置できる範囲が狭くなり、第一の画線（３）の画線幅（Ｗ１）が狭くなる。よって、第二の画像（Ｃ）が視認しづらく、好ましくない。
【００８３】
盛り上がりを有する第二の画線（４）の画線高さ（ｈ２）は、ピッチ（Ｄ２）及び第一の画線（３）及び後述する第三の画線（６）の画線幅及び画線高さを考慮し、画線高さ（ｈ２）２０〜１２０μｍの範囲内で適宜設定する。
【００８４】
第二の画線（４）の画線高さ（ｈ２）を２０μｍ未満に設定した場合、観察角度を変化させた際に第一の画線（３）を十分に遮蔽できず、好ましくない。また、画線高さ（ｈ２）を、１２０μｍを超えて設定した場合、第一の画像（Ａ）が視認しづらく、基材（１）上に第二の画線（４）の形状を、安定して保持することが難しいという理由から、好ましくない。
【００８５】
次に、ｆ４−３として、第二の画像（Ｃ）を構成する第三の画線（６）の画線幅（Ｗ３）及び画線高さ（ｈ３）を設定する。
【００８６】
図７（ｃ）は、第三の画線（６）を示す模式図である。画線幅（Ｗ３）及びピッチ（Ｄ３）は、第一の画線（３）及び第二の画線（４）の画線幅及びピッチを考慮し、第二の画線（４）と同様に、画線幅（Ｗ３）５０〜９００μｍの範囲内で適宜設定するが、第二の画線（４）の画線幅（Ｗ２）以下に設定する。
【００８７】
第三の画線（６）の画線幅（Ｗ３）が、下に配置する第二の画線（４）の画線幅（Ｗ２）を超える場合、観察角度の変化により視認可能となる画像が視認しづらくなり、好ましくない。
【００８８】
盛り上がりを有する第三の画線（６）の画線高さ（ｈ３）は、ピッチ（Ｄ３）と、第一の画線（３）及び第二の画線（４）の画線幅及び画線高さを考慮し、第二の画線（４）と同様に、画線高さ（ｈ３）２０〜１２０μｍの範囲内で適宜設定する。
【００８９】
次に、色設定ステップｆ５として、編集部（Ｕ２）で第一の画線（３）、第二の画線（４）及び第三の画線（６）を形成する色材の色を設定する。設定した各画線の色データは、記憶部（Ｕ３）に格納する。
【００９０】
まず、ｆ５−１として、図７（ａ）に示した第一の画線（３）を形成する第一の色材の色を設定する。
【００９１】
第一の色材は、特に限定されないが、明度が低く、基材（１）の表面色と明確に区別することができる色に設定することが望ましい。例えば、用いる基材（１）の表面色を白色又はクリーム色等の明度の高い色とし、第一の色材をイエローのように明度の高い色とした場合、基材（１）の表面色及び第一の色材が区別しづらいことから、好ましくない。
【００９２】
次に、ｆ５−２として、図７（ｂ）に示した第二の画線（３）を形成する第二の色材の色を設定する。
【００９３】
第二の色材は、特に限定がないが、基材（１）を傾けて観察して第一の画線（３）が第二の画線（４）の陰になった際に、第一の画線（３）を十分に遮蔽することができるように、第一の画線（３）に設定した第一の色材よりも明度の低い色材に設定することが望ましい。
【００９４】
次に、ｆ５−３として、図７（ｃ）に示した第三の画線（６）を形成する第三の色材の色を設定する。
【００９５】
第三の色材は、第三の画線（６）の下に配置する第二の画線（４）を形成する第二の色材と同じ色に設定する。第二の色材と第三の色材を同じ色に設定することで、正面から視認した際に、第二の画線（４）及び第三の画線（６）を区別して視認することができず、第二の画像（Ｃ）が識別不可能となる。
【００９６】
また、他の色材の設定としては、第三の色材を半透明の色材とし、第二の色材を第三の色材よりも明度の低い色材に設定する。例えば、第二の画線（４）を形成する第二の色材を黒色の色材に設定した場合、第三の画線（６）を形成する第三の色材を透過性を有するシアン色の色材に設定する。それにより、透過性を有するシアン色の第三の色材は下に配置した黒色の第二の色材に透過吸収されて、正面からは黒色として視認可能となる。
【００９７】
なお、本実施形態における透過吸収とは、半透明の色材の下に、半透明の色材よりも明度の低い色材を形成し、その二つの色材を正面から視認した際に、明度の低い色材により、半透明の色材が識別不可能となることをいう。
【００９８】
よって、第三の色材を半透明の色材に設定し、第二の色材を第三の色材よりも明度の低い色材に設定することで、前述した同じ色の色材とした場合と同様に、正面から視認した際に、第二の画線（４）及び第三の画線（６）を区別して視認することができず、第二の画像（Ｃ）が識別不可能となる。以下、本実施形態は、第三の色材を半透明の色材に設定し、第二の色材を第三の色材よりも明度の低い色材に設定したとして説明する。
【００９９】
次に、画像データ作成ステップｆ６として、形状設定ステップｆ４及び色設定ステップｆ５で設定した条件である、第一の画線（３）、第二の画線（４）及び第三の画線（６）の画線幅、画線高さ及び色材をもとに、編集部（Ｕ２）で第一の画線データ、第二の画線データ及び第三の画線データを作成する。作成した、各画線データは、記憶部（Ｕ３）に格納する。
【０１００】
まず、ｆ６−１として、ｆ４−１及びｆ５−１で設定した第一の画線（３）の画線幅、画線高さ及び色材をもとに、ｆ３−１で作成した第一マスク画像データ（ｉ３）に適用して所定の位置に配置処理を行うことで、第一の画線データ（ｉ３）を作成する。図８（ａ）は、作成した第一の画線データ（ｉ３）を示す模式図である。画線幅、画線高さ及び色材の適用は、別途、画線設定用の設定パラメータ情報としてその都度設定値を入力するか、又は設定パラメータ保管テーブル等から適時設定値を呼び出して作成し、第一の画線データ（ｉ３）を記憶部（Ｕ３）に格納する。
【０１０１】
なお、形成体（Ｓ）を作成する場合、ほとんどの印刷方式において、形成体（Ｓ）と画線データ間では、ドットゲインによる画線面積率又は網点面積率の上昇が見込まれることから、画線データの作成にあたっては、あらかじめそれを見込んだ画線面積率又は網点面積率にする必要があることはいうまでもない。
【０１０２】
次に、ｆ６−２として、ｆ４−２及びｆ５−２で設定した第二の画線（４）の画線幅、画線高さ及び色材をもとに、ｆ３−２で作成した第二マスク画像データに適用して所定の位置に配置処理を行うことで、第二の画線データ（ｉ４）を作成する。図８（ｂ）は、作成した第二の画線データ（ｉ４）を示す模式図である。作成した、第二の画線データ（ｉ４）は、記憶部（Ｕ３）に格納する。
【０１０３】
次に、ｆ６−３として、ｆ４−３及びｆ５−３で設定した第三の画線（６）の画線幅、画線高さ及び色材をもとに、ｆ３−３で作成した第三マスク画像データに適用して所定の位置に配置処理を行うことで、第三の画線データ（ｉ６）を作成する。図８（ｃ）は、作成した第三の画線データ（ｉ６）を示す模式図である。作成した、第三の画線データ（ｉ４）は、記憶部（Ｕ３）に格納する。
【０１０４】
次に、第一の画像（Ａ）、第一の背景画像（Ｂ）及び第二の画像（Ｃ）を積層して配置するために、積層出力ステップｆ７として、印刷部（Ｕ６）でｆ６で作成した各画線データをもとに、基材（１）上に画線を形成する。
【０１０５】
基材（１）は、上質紙、コート紙、カード及びシート状のプラスチック等、公知の印刷が可能なものを用いる。本発明においては、フラットな基材（１）に対して、盛り上がりを有する色材を複数積層することで、凹凸を付与する。よって、従来のように、基材（１）に、あらかじめエンボス、すき入れ又は凹版印刷等で凹凸を付与する必要がないことから、用いる基材（１）に特段の限定はなく、従来よりも設計及び出力機の幅が広がる。
【０１０６】
まず、第一の画線データ（ｉ３）を、基材（１）上にデジタル印刷方式により印刷して万線状の第一の画線（３）を形成する。
【０１０７】
次に、第二の画線データ（ｉ４）を、基材（１）上に印刷した万線状の第一の画線（３）と重ならない位置に、印刷して万線状の盛り上がりを有する第二の画線（４）を形成する。印刷方式は、前述した第一の画線（３）と同様の印刷方式とする。
【０１０８】
次に、第三の画線データ（ｉ６）を、万線状の第二の画線（４）の上に印刷して万線状の第三の画線（６）を形成する。印刷方式は、第二の画線（４）と同様に、第三の画線（６）を盛りのある画線として形成することが可能な印刷方式であれば、特に限定されるものではない。
【０１０９】
なお、盛り上がりを有する第二の画線（４）及び第三の画線（６）が、一度の印刷で所望の画線高さとならない場合には、所望の高さとなるまで複数回、同一箇所に印刷を繰り返して画線を形成する。
【０１１０】
図９は、前述した作成方法により形成した形成体（Ｓ）であり、これらの形成体（Ｓ）における視認状態について説明する。図９（ａ）は、形成体（Ｓ）を、基材（１）に対して正面である第一の観察角度（Ｅ１）から観察した際の模式図であり、図９（ｂ）は、図９（ａ）における一部の領域（Ｐ）の拡大図であり、図９（ｃ）は、図９（ｂ）におけるＸ−Ｘ´を切断した断面図である。
【０１１１】
なお、形成体（Ｓ）に対する第一の観察角度（Ｅ１）と、基材（１）に対する第一の観察角度（Ｅ１）は、同一であることから、以下の説明において、基材（１）は省略し、形成体（Ｓ）を第一の観察角度（Ｅ１）から観察したとし、他の観察角度も同様として説明する。
【０１１２】
第一の画線（３）は、積層して配置した第二の画線（４）及び第三の画線（６）と重ならない位置に配置していることから、第一の観察角度（Ｅ１）から観察した場合、視認可能となり、第一の画像（Ａ）が視認される。積層して配置した、第二の画線（４）は低明度の第二の色材で形成され、第三の画線（６）は有色透過性の第三の色材で形成している。また、第二の画線（４）の画線幅は、第三の画線（６）の画線幅以上で形成される。
【０１１３】
よって、下層に形成された第二の画線（４）は、上層に形成された第三の画線（６）の色材が透過吸収され、二つの画線（４及び６）を肉眼で区別して視認することが不可能となり、下層に配置した複数の第二の画線（４）から成る第一の背景画像（Ｂ）が視認される。
【０１１４】
以上、形成体（Ｓ）を第一の観察角度（Ｅ１）から観察した場合、図９（ａ）に示すように、第一の画像（Ａ）及び第一の背景画像（Ｂ）が視認可能となるが、第一の画像（Ａ）と第一の背景画像（Ｂ）の面積率の差及び／又は色相の差により、第一の画像（Ａ）が有意的に視認される。以下、本実施形態においては、所定の観察角度において、二つの画像（例えば、画像Ａと画像Ｂ）が視認可能となる場合においても、面積率の差及び／又は色相の差により、一方の画像（例えば、画像Ａ）が有意的に視認される場合、その所定の観察角度においては、一方の画像（例えば、画像Ａ）が視認されるとして説明する。
【０１１５】
なお、本発明でいう色相とは「赤みを帯びた色」又は「青みを帯びた色」等の画像全体の相対的な色みの違いを区別するものであって、「赤」又は「青」等の絶対的な色を指すものではない。
【０１１６】
次に、形成体（Ｓ）を傾けて観察した場合について説明する。図１０（ａ）は、形成体（Ｓ）を、基材（１）に対して斜めである第二の観察角度（Ｅ２）から観察した際の模式図であり、図１０（ｂ）は、図１０（ａ）における一部の領域（Ｐ）の拡大図であり、図１０（ｃ）は、図１０（ｂ）におけるＸ−Ｘ´を切断した断面図である。なお、第二の観察角度（Ｅ２）とは、形成体（Ｓ）に対して第一の方向（Ｘ１）と同じ方向から観察した際の観察角度である。
【０１１７】
図１０（ｃ）に示すように、形成体（Ｓ）を第二の観察角度（Ｅ２）から観察した場合、第一の画線（３）は、積層して配置した第二の画線（４）及び第三の画線（６）の死角となり遮蔽されることから視認されず、複数の第二の画線（４）から成る第一の背景画像（Ｂ）が視認される。
【０１１８】
第三の画線（６）は、盛り上がりを有して第二の画線（４）上に積層して配置することから、基材（１）の表面色の一部は、第三の画線（６）を形成する第三の色材により透過吸収されて、第三の画線（６）の色相で視認され、複数の第三の画線（６）から成る第二の画像（Ｃ）が視認される。
【０１１９】
また、第三の画線（６）が積層されない第二の画線（４）は、第二の画線（４）と第二の観察角度（Ｅ２）から見て後方（図１０（ｃ）、左側）の第二の画線（４）が重なり合うことなく、第二の画線（４）の濃度と色相を保っている。
【０１２０】
以上、形成体（Ｓ）を第二の観察角度（Ｅ２）から観察した場合、図１０（ａ）に示すように、第二の画像（Ｃ）及び第一の背景画像（Ｂ）が視認可能となるが、第二の画像（Ｃ）と第一の背景画像（Ｂ）の面積率の差及び／又は色相の差により第二の画像（Ｃ）が視認される。
【０１２１】
本発明の作成方法により得られる形成体（Ｓ）は、フラットな基材（１）に対して盛り上がりを有するインキから成る画線を印刷している。観察角度の変化により潜像画像が出現する形成体（Ｓ）を、デジタル印刷機を用いたオンデマンド印刷により作成することが可能となる。
【０１２２】
また、盛り上がりを有する画線を複数積層して配置し、その積層した画線を傾けた際に生じる死角を利用することで、第一の画像（Ａ）と第二の画像（Ｃ）が変化して視認される。よって、従来凹凸形状により生じる死角を利用した印刷物は、基材（１）自体又は基材（１）上に、あらかじめ、エンボス、すき入れ又は凹版印刷等で凹凸を形成しておくことが必要であったが、その必要がないことから、画像のデザイン、形状及び色等を、ユーザが全て自由に作成することが可能となる。
【０１２３】
なお、前述した作成方法からなる形成体（Ｓ）においては、観察角度の変化による画像の出現という一次認証に加え、更に二次認証を付与することも可能である。
【０１２４】
従来の偽造防止印刷物も、機能性材料を含む色材を用いることで、その機能性材料が有する機能性が付与された二次認証が可能な印刷物は存在するが、盛り上がりを有しない印刷画線は、画線内に機能性材料を多く含むことができず、機能性材料が有する機能性の効果を十分に発揮することができないという問題があった。
【０１２５】
しかしながら、本発明の作成方法により得られる形成体（Ｓ）は、盛り上がりを有する画線から成る構成であることから、各画線（３、４及び６）を形成する色材に、機能性材料を十分に含有させることが可能となる。よって、機能性材料が有する機能性に対応した、二次認証により真偽判別を行うことが可能となる。
【０１２６】
さらに、本発明の形成体（Ｓ）は、積層構造であることから、各層を構成する色材に互いに異なる機能性材料を含むことも可能となり、より偽造防止効果が向上した形成体（Ｓ）となる。
【０１２７】
次に、一次認証に加え、二次認証が付与された形成体（Ｓ）の作成方法について説明する。
【０１２８】
形成体（Ｓ）に二次認証を付与する場合には、色設定ステップｆ５において、前述した色材の色の設定に加え、各画線（３、４及び６）を形成する色材に含ませる機能性材料の設定を行う。
【０１２９】
機能性材料とは、蛍光顔料、燐光顔料、蓄光顔料、フォトクロミック顔料、赤外反射・吸収材料、磁性材料及び各種電子線による作用を備えた材料等、公知の機能性を有する材料のことである。機能性材料を含む場合、形成体（Ｓ）に対する、観察角度の変化による画像のチェンジ効果に加えて、各種の機能性を追加することができる。
【０１３０】
例えば、ｆ５−２において、第二の画線（４）を形成する第二の色材に赤外励起可視発光材料を含ませる設定をし、ｆ５−３において、第三の画線（６）に紫外励起可視発光材料を含ませる設定をした場合、作成方法により得られる形成体（Ｓ）は、第一の観察角度（Ｅ１）から第一の画像（Ａ）が視認され、赤外波長光を照射した際には、可視発光した第一の背景画像（Ｂ）内に第一の画像（Ａ）が視認される。また、第二の観察角度（Ｅ２）から第二の画像（Ｃ）が視認され、紫外波長光を照射した際には、第一の背景画像（Ｂ）内に可視発光した第二の画像（Ｃ）が視認される。
【０１３１】
また、他の構成としては、ｆ５−３において、第三の画線（６）を形成する第三の色材に磁性材料を含ませる設定をした場合、観察角度の変化による真偽判別に加え、公知の磁気ヘッドを有する読取装置により磁気強度を読み取ることで、機械読取により形成体（Ｓ）の真偽判別を行うことが可能となる。
【０１３２】
以上、本発明の形成体（Ｓ）の作成方法は、色設定と同時に機能性材料の設定を行うことで、ユーザが所望の機能性（二次認証）を、簡易に追加することが可能となる。
【０１３３】
なお、本発明の形成体（Ｓ）の印刷方法は、オンデマンド印刷とする。オンデマンド印刷により作成することで、観察角度の変化により視認可能となる第一の画像（Ａ）及び第二の画像（Ｃ）を、形成体（Ｓ）ごとに異なる画像として印刷することが可能となる。すなわち、第一の画像（Ａ）及び第二の画像（Ｃ）を可変画像として扱うことが可能となる。
【０１３４】
さらに、基材（１）上に積層して配置する各画線（３、４及び６）を、形成体（Ｓ）の個体ごとに異なる色材を用いて形成することが可能となる。前述のとおり、本実施形態の形成体（Ｓ）は、各画線（３、４及び６）を形成する色材のうち、少なくとも一つの色材が、一つの機能性材料を含むことも可能である。よって、異なる色材を用いて形成可能となることで、形成体（Ｓ）に機能性を可変要素として付与することが可能となる。
【０１３５】
また、本発明の形成体（Ｓ）をデジタル印刷機（Ｍ）により作成することで、傾けるという一次認証により視認可能な画像と、機能性という二次認証により視認可能な画像を、一つの形成体（Ｓ）にいずれも可変要素として付与することが可能となる。
【０１３６】
なお、第一の画像（Ａ）及び第二の画像（Ｃ）を可変画像として、形成体（Ｓ）を作成する場合、画像データ取得ステップｆ１において、作成する複数の第一の画像データを、互いに異なる画像とし、複数の第一の背景画像データを互いに異なる画像とし、更に、複数の第二の画像データを、互いに異なる画像として入力部（Ｕ１）又は編集部（Ｕ２）で作成する。
【０１３７】
また、機能性を可変要素とする場合には、色設定ステップｆ３において、前述した色の設定に加え、各画線（３、４及び６）を形成する色材に含ませる機能性材料を、複数の形成体（Ｓ）ごとに異なる機能性材料を設定する。
【０１３８】
さらに、積層出力ステップｆ７において、画像データ取得ステップｆ１において作成した複数の画像データの中から所望の画像データを選び、印刷部（Ｕ４）から、所望の画像データをもとに異なる画像を複数印刷する。作成した複数の形成体（Ｓ）は、所望の画像が可変情報として付与された印刷物となる。
【０１３９】
以上、本発明の形成体（Ｓ）の作成方法は、複数の形成体（Ｓ）を作成する際に、
画像データ取得ステップｆ１において複数の画像データを作成し、色設定ステップｆ５において、基材（１）ごとに異なる機能性材料を色材に含ませる設定をし、さらに、積層出力ステップｆ７において、画像データ取得ステップｆ１において所望の画像データを選び印刷することで、簡易に、画像及び機能性を可変要素として付与することが可能となる。よって、一次認証により視認可能な画像に加え、二次認証においても、ユーザの所望の機能性を自由に可変要素として形成体（Ｓ）に付与することが可能となる。
【０１４０】
なお、前述した本発明の作成方法により作成した形成体（Ｓ）は、いずれも二層構成であったが、一層構成である第一の背景画像（Ｂ）を、Ｎ個（Ｎは二以上の整数）の背景画像が積層されたＮ層構成の形成体（Ａ）についても、作成することが可能である。
【０１４１】
図１１は、本発明の作成方法により得られた複数の背景画像が積層された形成体（Ｓ）を示す図であり、一例として、背景画像を、第一の背景画像（Ｂ）と第二の背景画像（Ｄ）を積層した二層構成としている。図１１（ａ）は、新たに積層する第二の背景画像（Ｄ）を説明する平面図であり、図１１（ｂ）は、図１１（ａ）における一部の領域（Ｐ）の拡大図であり、図１１（ｃ）は、図１１（ｂ）におけるＸ−Ｘ´を切断した断面図である。
【０１４２】
第二の背景画像（Ｄ）は、前述した第一の背景画像（Ｂ）とともに、基材（１）を傾けて観察した際に、第一の画像（Ａ）を遮蔽する画像のことであり、盛り上がりを有する第四の画線（１１）が、規則的に第一の方向（Ｘ１）に複数配置されて成る。
【０１４３】
前述のとおり、本発明においては、盛り上がりを有する画線を積層して印刷することで、形成体（Ｓ）を作成する。しかしながら、盛り上がりを有する画線の印刷方法は、印刷方式及び印刷装置が限定される。複数の背景画像を備えた構成とすることで、前述した背景画像が一層構成よりも、各画線の盛り上がりを低く設定することが可能となる。よって、印刷方式及び印刷装置の限定が少なくなる。
【０１４４】
また、前述のとおり、色設定ステップｆ５において、各画線を形成する色材に機能性材料を含ませることで、観察角度の変化による画像のチェンジ効果に加え、各種の機能性を追加することを可能としている。よって、複数の背景画像を備えた構成とすることで、より多くの機能性を付与することが可能となる。次に、複数の背景画像が付与された形成体（Ｓ）の作成方法について説明するが、一層の背景画像から成る形成体（Ｓ）の作成方法と重複する点については、省略する。
【０１４５】
まず、画像取得ステップｆ１において、更にＮ個の背景画像の原画像である、Ｎ個の背景画像データを取得又は作成する。例えば、背景画像が三個の場合、Ｎは三となり、前述したｆ１−３の次に、更にｆ１−４において、第二の背景画像データを作成し、ｆ１−５において、第三の背景画像データを作成する。なお、各背景画像データの作成方法については、ｆ１−２において前述した第一の背景画像（Ｂ）と同様であることから、説明を省略する。
【０１４６】
第一の背景画像（Ｂ）をＮ層構成とする場合、それぞれの背景画像を構成する画線の位置座標、ピッチ及び配列方向は、全ての背景画像において同じに設定する。同じに設定することで、観察角度の変化により視認される画像が鮮明に視認可能な形成体（Ｓ）を作成することができる。よって、全ての背景画像を構成する画線の基準となる基本線データは、全ての背景画像において同じ基本線データを用いることから、Ｎ層構成となった場合、複数の背景画像において、それぞれ基本線データ取得ステップ及びマスク処理ステップを行う必要はない。
【０１４７】
次に、形状設定ステップｆ４において、更に、Ｎ個の背景画像データからＮ個の背景画像データを構成する画線の画線幅及び画線高さをそれぞれ設定する。Ｎ個の背景画像データを構成する画線の画線幅は、全て同じ画線幅に設定する。同じ画線幅に設定することで、観察角度の変化により視認される画像が鮮明に視認可能な形成体（Ｓ）を作成することができる。
【０１４８】
Ｎ個の背景画像を構成する、盛り上がりを有する画線の画線高さは、ｆ４−２において、前述した第二の画線（４）の画線高さ（ｈ２）と同様の範囲内で適宜設定するが、複数の背景画像を追加する場合、それぞれの背景画像を構成する画線の画線高さは、前述した範囲内において低く（例えば、２０μｍ）設定することが好ましい。低く設定することで、複数積層した背景画像を形成する各画線の形状を、安定して保持することが可能となる。
【０１４９】
次に、色設定ステップｆ５において、Ｎ個の背景画像を構成する画線の色を設定する。Ｎ個の背景画像を構成する画線の色は、基材（１）と異なる色であれば特に限定されないが、前述した第一の背景画像（Ｂ）と同様に、基材（１）を傾けて観察して第一の画線（３）が第二の画線（４）の陰になった際に、第一の画線（３）を十分に遮蔽することができるように、第一の画線（３）に設定した第一の色材よりも明度の低い色材に設定することが望ましい。
【０１５０】
なお、ｆ５−２において、第三の色材を、第三の画線（６）の下に配置する第二の画線（４）を形成する第二の色材と同じ色に設定するとしたが、複数の背景画像を追加した場合、第三の画線（６）の下に、第四の画線、・・・第Ｎの画線が積層した構成となる。その際には、第三の色材と、他の背景画像を構成する画線を形成する色材を全て同じ色に設定する。
【０１５１】
また、他の色材の設定としては、第三の色材を半透明の色材とし、他の背景画像を構成する画線を形成する色材を第三の色材よりも明度の低い色材に設定する。例えば、第三の画線（６）を形成する第三の色材を、透過性を有するシアン色の色材に設定した場合、他の背景画像を構成する画線を形成する色材を、明度の低い黒色、紺色及び暗緑色等に設定する。それにより、透過性を有する第二の画像（Ｃ）を構成する画線を形成する色材は、下に配置した明度の低い色材に透過吸収されて、正面からは明度の低い色として視認可能となる。
【０１５２】
なお、形成体（Ｓ）に機能性を追加する場合には、ｆ５−Ｎの色設定において、前述した色の設定に加え、Ｎ個の背景画像を構成する画線を形成する色材に含ませる機能性材料の設定を行う。
【０１５３】
次に、画線データ作成ステップｆ６において、更にｆ６−Ｎとして、ｆ４−Ｎ及びｆ５−Ｎで設定した条件をもとに、Ｎ個の背景画像ごとにＮ個の画線データを作成する。作成した、Ｎ個の画線データは、記憶部（Ｕ３）に格納する。
【０１５４】
次に、積層出力ステップｆ７において、印刷部（Ｕ４）により第三の画線データ（６ｉ）を印刷して万線状の第三の画線（６）を形成する前に、Ｎ個の背景画像ごとに作成したＮ個の画線データを、基材（１）上における万線状の第一の画線（３）と重ならない位置に順次印刷して、万線状の画線が積層したＮ層構成の背景画像を形成する。なお、Ｎ個の背景画像の印刷方法については、前述した第二の画線データ（４ｉ）の印刷方法と同様とする。
【０１５５】
Ｎ層構成の背景画像の最上部となる第Ｑの画線データを印刷して万線状の第Ｑの画線を形成した後、第三の画線データを第Ｑの画線上に公知の印刷方法により出力して万線状の第三の画線（６）を形成する。
【０１５６】
作成した形成体（Ｓ）は、前述した形成体（Ｓ）と同様に、基材（１）に対して正面である第一の観察角度（Ｅ１）から観察した際には、第一の画像（Ａ）が視認され、形成体（Ｓ）を、基材（１）に対して斜めである第二の観察角度（Ｅ２）から観察した際には、第二の画像（Ｃ）が視認される。
【０１５７】
以上、前述した本発明の作成方法により得られる形成体（Ｓ）は、いずれも潜像画像を有する構成であったが、本発明の作成方法により、従来の凹版印刷物と同様の触感を有する印刷物を簡易に作成することも可能である。
【０１５８】
図１２は、本発明の作成方法により得られる触感を有する形成体（Ｓ´）を説明する模式図である。前述の作成方法と同様に、基材（１）上に、盛りを有する万線状の画線から成る複数の画像（Ｂ、Ｃ及びＤ）を、積層して配置する。図１２においては、一つの画像（図１２においては、人物の目）である形成体（Ｓ´）を複数の画像（Ｂ、Ｃ及びＤ）を積層し、作成した。なお、形成体（Ｓ´）は、凹版印刷物と同様の印刷物を作成することを目的としていることから、観察角度の変化により出現する潜像画像を有さない。よって、各画像を構成する画線の幅、画線高さ及び配列方向に特段の限定はない。
【０１５９】
作成された形成体（Ｓ´）は、図１２の拡大図に示すように、凹版印刷物と同様の意匠性、立体的な奥行き感及び触感を有しているが、印刷方式をオンデマンド印刷とした場合、形成体（Ｓ´）のデザインをユーザが自由に変更することが可能となる。さらには、従来の凹版印刷は、余剰インキが多く非常にコストがかかるという問題があったが、デジタル印刷方式においては余剰インキが発生しない。よって、本発明の作成方法により、低コストで凹版印刷と同様の形成体（Ｓ）を作成することが可能となることはいうまでもない。
【０１６０】
以上、本発明に係る実施例に基づいて実施の形態を説明したが、上記実施例に限定されることなく特許請求の範囲記載の技術思想の範囲内で、更にいろいろな実施例があることはいうまでもない。
【符号の説明】
【０１６１】
１          基材
３          第一の画線
４          第二の画線
６          第三の画線
１１        第四の画線
Ａ          第一の画像
Ｂ          第一の背景画像
Ｃ          第二の画像
Ｄ          第二の背景画像
Ｅ１        第一の観察角度
Ｅ２        第二の観察角度
Ｓ、Ｓ´    形成体
Ｚ          印刷領域
Ｍ          デジタル印刷機
Ｕ１        入力部
Ｕ２        編集部
Ｕ３        記憶部
Ｕ４        印刷部
Ｕ５        通信インタフェース
Ｕ６        表示部
【図１】
2014137417.tif 000003
【図２】
2014137417.tif 000004
【図３】
2014137417.tif 000005
【図４】
2014137417.tif 000006
【図５】
2014137417.tif 000007
【図６】
2014137417.tif 000008
【図７】
2014137417.tif 000009
【図８】
2014137417.tif 000010
【図９】
2014137417.tif 000011
【図１０】
2014137417.tif 000012
【図１１】
2014137417.tif 000013
【図１２】
2014137417.tif 000014